(57)【要約】【課題】止血弁が破損した場合交換が可能になるとともに、止血効果が向上し、体内の特定位置でカテーテルを留めることが可能になるシースを提供すること。【解決手段】シースハブ（２）をチューブ接続部（２Ａ）と止血弁収納部（２Ｂ）の二つの部材に分けて形成し、当該二つの部材を脱着可能な構造に形成したシース（１）。前記チューブ接続部（２Ａ）と止血弁収納部（２Ｂ）の対向する端部に、それぞれ脱着部（２Ｃ、２Ｄ）を形成した。【選択図】図１
2004248773.tif 000002
【特許請求の範囲】
【請求項１】
シースハブ（２）をチューブ接続部（２Ａ）と止血弁収納部（２Ｂ）の二つの部材に分けて形成し、当該二つの部材を脱着可能な構造に形成したことを特徴とするシース（１）。
【請求項２】
前記チューブ接続部（２Ａ）と止血弁収納部（２Ｂ）の対向する端部に、それぞれ脱着部（２Ｃ、２Ｄ）を形成した、ことを特徴とする請求項１に記載のシース（１）。
【請求項３】
前記シースハブ（２）に挿入するカテーテルチューブ（９）の固定部材（４）を止血弁収納部（２Ｂ）の後方に配置した、ことを特徴とする請求項１ないし請求項２に記載のシース（１）。
【請求項４】
前記固定部材（４）が、弾性体（５）とロック部（６）よりなり、ロック部（６）を締めることによって挿入したカテーテルチューブ（９）を固定することができることを特徴とする請求項１ないし請求項３に記載のシース（１）。
【請求項５】
前記固定部材（４）が、ベンディング部（６Ｂ）を有するロック部（６Ａ）よりなり、ロック部（６Ａ）を締めることによって挿入したカテーテルチューブ（９）を固定することができることを特徴とする請求項１ないし請求項３に記載のシース（１）。
【請求項６】
請求項１ないし請求項５に記載のシース（１）を有するイントロデューサーキット。
【発明の詳細な説明】
【０００１】
【発明の属する技術分野】
本発明は、シース及び当該シースとダイレータより構成されるイントロデューサーキットの改良に関する。特にシースハブをチューブ接続部と止血弁収納部の二つの部材に分けて形成し、当該二つの部材を脱着可能な構造に形成したシースに関する。
【０００２】
【従来技術および発明が解決しようとする課題】
心臓、及び消化器の検査や血管の造影に、カテーテルを導入するためにイントロデューサーキットが幅広く使用される。
イントロデューサーキット内のシースが血管内に挿入され、シースを介してガイドワイヤーやカテーテルチューブが血管内に挿入される。またシースのハブ部分にはガイドワイヤー、カテーテルチューブのとの隙間からの血液の漏れを防止するため止血弁が装着されている。止血弁はシリコーンゴム等で作られているが、径の異なるガイドワイヤーとカテーテルを頻繁に操作するため、止血弁が破損することがある。止血弁が破損すると出血が多くなり、手技時間の短縮やシースの交換が必要になっていた。また挿入したカテーテルを血管内の特定に場所で留める場合、シースハブにはカテーテルを固定する機構がないため、カテーテルが動かないように術者が手で止めていた。
【０００３】
例えば特許文献１には、止血弁を後方に装着したシースハブの後端部に、側部に分岐管と後方部に弁体（止血弁）を装着した他の管状体を、脱着可能な構造に形成したカテーテー導入器具の発明が開示されている。
また特許文献２には、止血弁を後方に装着したカテーテル導入装置の前方部に、内部にパッキンを配置したシース取り付け部が装着されている。
しかしながら特許文献１に記載の発明はカテーテルを固定する機構がなく、特許文献２に記載の発明は止血弁を押圧することによって、止血効果を上げる発明であり、止血弁を緩めた状態では、カテーテルを固定できない等の課題が指摘される。
【０００４】
【特許文献１】
特開平１０−２０１８４９号公報（図１から３）
【特許文献２】
特開平１０−６６７３１号公報（図１）
【０００５】
【課題を解決するための手段】
そこで本発明者は以上の課題を解決するために鋭意検討を重ねた結果、次の発明に到達した。
［１］本発明は、シースハブ（２）をチューブ接続部（２Ａ）と止血弁収納部（２Ｂ）の二つの部材に分けて形成し、当該二つの部材を脱着可能な構造に形成したシース（１）を提供する。
［２］本発明は、前記チューブ接続部（２Ａ）と止血弁収納部（２Ｂ）の対向する端部に、それぞれ脱着部（２Ｃ、２Ｄ）を形成した［１］に記載のシース（１）を提供する。
［３］本発明は、前記シースハブ（２）に挿入するカテーテルチューブ（９）の固定部材（４）を止血弁収納部（２Ｂ）の後方に配置した［１］ないし［２］に記載のシース（１）を提供する。
［４］本発明は、前記固定部材（４）が、弾性体（５）とロック部（６）よりなり、ロック部（６）を締めることによって挿入したカテーテルチューブ（９）を固定することができる［１］ないし［３］に記載のシース（１）を提供する。
［５］本発明は、前記固定部材（４）が、ベンディング部（６Ｂ）を有するロック部（６Ａ）よりなり、ロック部（６Ａ）を締めることによって挿入したカテーテルチューブ（９）を固定することができる［１］ないし［３］に記載のシース（１）を提供する。
［６］本発明は、［１］ないし［５］に記載のシース（１）を有するイントロデューサーキットを提供する。
【０００６】
【発明の実施形態】
図１、図２は、本発明のシース１の概略図（図１は分解断面図、図２は組立図）、図３は図１の一部拡大図である。
本発明のシース１は、シースハブ２をチューブ接続部２Ａと止血弁収納部２Ｂの二つの部材に分けて形成し、当該二つの部材を脱着可能な構造に形成している。
前記チューブ接続部２Ａと止血弁収納部２Ｂの対向する端部には、それぞれ脱着部２Ｃ、２Ｄを形成している。脱着部２Ｃ、２Ｄとは、チューブ接続部２Ａと止血弁収納部２Ｂが、相互に脱着できる形態であれば何でも良く、図１、２に例示するような、螺子構造［チューブ接続部２Ａの外周（または内周でも可）に形成されるオス螺子、止血弁収納部２Ｂの内周（または外周でも可）に形成されるメス螺子］の他に、オスメスのテーパー嵌合等であっても良い。
【０００７】
さらに、前記シースハブ２は、当該シースハブ２に挿入するカテーテルチューブ９の固定部材４を有している。
チューブの固定部材４とは、図３（Ａ）に例示するように、弾性体５とロック部６よりなり、当該弾性体５とロック部６を止血弁収納部２Ｂの後方に配置し、ロック部６を締めることによってシースハブ２に挿入したカテーテルチューブ９を固定することができる。
またチューブの固定部材４とは、図３（Ｂ）に例示するように、ベンディング部６Ｂを有するロック部６Ａよりなり、当該ロック部６Ａを止血弁収納部２Ｂの後方に配置し、ロック部６Ａを締めることによって挿入したカテーテルチューブ９を固定することができる。
ロック部６、６Ａを付ける場所は、手技の邪魔にならないようにシースハブ２の後方、すなわち止血弁収納部２Ｂの後端が良い。
ロックの方法は最も簡易な螺子方式が良く、図３（Ａ）に例示するように、シリコーンゴム等の弾性体５を介して締め付けてもよく、図３（Ｂ）に例示するように、ベンディング部分６Ｂを締め付けて固定しても良い。カテーテルチューブ８を傷つけないようにするには、シリコーンゴム等の弾性体５を使用するのが望ましい。
【０００８】
【発明の作用効果】
（１）止血弁が破損した場合交換が可能になるとともに、止血効果が向上し、体内の特定位置でカテーテルを留めることが可能になる。
（２）シースハブをシースチューブ接続部と止血弁収納部に分けることにより止血弁が破損した場合でも、止血弁収納部を交換することによって出血の防止ができ手技を継続できる。
（３）止血弁収納部がカテーテルを固定するロック部分と、止血弁部に分離しているため、ロックを解除した場合でも、止血性を維持したままカテーテルを操作することができる。
（４）カテーテルを固定する場合は、カテーテルとシースが固定できるため、術者が手で固定する必要がなくなる。
（５）止血弁の止血性に加えてロック部でカテーテルチューブを挟むため、止血効果が向上する。
【図面の簡単な説明】
【図１】本発明のシースの一例を示す概略図（分解断面図）
【図２】本発明のシースの一例を示す概略図（組立図）
【図３】チューブ固定部の一例を示す概略図
【符号の説明】
１  シース
２  シースハブ
２Ａ  シースチューブ接続部
２Ｂ  止血弁収納部
２Ｃ  脱着部
２Ｄ  脱着部
３  止血弁
４  チューブ固定部材
５  弾性体
６、６Ａ  ロック部
６Ｂ  ベンディング部
７  シースチューブ
８  カテーテルチューブ
【図１】
2004248773.tif 000003
【図２】
2004248773.tif 000004
【図３】
2004248773.tif 000005